【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】知識ベース構築方法


【手続補正２】
【補正対象書類名】明細書
【補正対象項目名】特許請求の範囲
【補正方法】変更
【補正の内容】
【特許請求の範囲】
【請求項１】
（ａ）多数の有機化合物のそれぞれについてその有機化合物を構成する各原子とそれらの間の結合関係とを示す構造情報およびその有機化合物の１Ｈ−ＮＭＲスペクトル情報を記録した化合物ファイルを蓄積してある化合物データベースから前記化合物ファイルを入力するステップと、
（ｂ）有機化合物の構造のうち、プロトンの結合した炭素原子が１原子以上つらなる部分を基幹部分、基幹部分以外の部分を非基幹部分と呼ぶとき、前記入力された化合物ファイルが示す有機化合物に含まれる基幹部分毎に、当該基幹部分と当該基幹部分に隣接する非基幹部分とから構成される部分構造と、該部分構造に対応する二次元プロトンＮＭＲ情報とを抽出するステップと、
（ｃ）前記多数の有機化合物のそれぞれから抽出された部分構造及びその二次元プロトンＮＭＲ情報に基づき、部分構造を構成する各原子とそれらの間の結合関係とを示す部分構造情報およびその部分構造情報の二次元プロトンＮＭＲ情報の組を多数蓄積した知識ベースを作成するステップとを含むことを特徴とする知識ベース構築方法。
【請求項２】
前記ステップｂにおいて、有機化合物中の同じ芳香族環に属する基幹部分を持つ複数の部分構造は一つの部分構造として抽出することを特徴とする請求項１記載の知識ベース構築方法。
【請求項３】
前記ステップｃは、
（ｃ−１）前記抽出された部分構造毎に、当該部分構造を構成する各原子とそれらの間の結合関係とを示す部分構造情報およびその部分構造情報の二次元プロトンＮＭＲ情報を含む修飾結合表を生成するステップと、
（ｃ−２）前記生成された修飾結合表毎に、当該修飾結合表中の部分構造情報と同じ部分構造情報を持つ修飾結合表が知識ベースに登録されているか否かを検査し、未登録の場合には今回の修飾結合表を前記知識ベースに追加登録し、既登録の場合には今回の修飾結合表中の二次元プロトンＮＭＲ情報を考慮して、既登録の修飾結合表中の二次元プロトンＮＭＲ情報を更新するステップとを含むことを特徴とする請求項１または２記載の知識ベース構築方法。
【請求項４】
前記ステップｂにおいて、前記抽出された部分構造中の非基幹部分の原子が他の部分構造中のプロトンの結合した炭素原子と結合している場合、当該プロトンの結合した炭素原子を疑似原子として前記抽出された部分構造に含める請求項１、２または３記載の知識ベース構築方法。
【請求項５】
前記ステップｂにおいて抽出する二次元プロトンＮＭＲ情報は、ピークの化学シフト値と、若し存在する場合にはクロスピーク情報とを含む請求項４記載の知識ベース構築方法。
【請求項６】
前記ステップｂにおいて、クロスピーク情報は有機化合物の構造情報中のプロトンの結合した重原子のつながりと１Ｈ−ＮＭＲスペクトル情報とから論理的に抽出する請求項５記載の知識ベース構築方法。
【請求項７】
知識ベース中における二次元プロトンＮＭＲ情報は、同じ部分構造について統計的に求めた各ピークの化学シフト値の平均値および偏差値を含む請求項４記載の知識ベース構築方法。
【請求項８】
知識ベース中における二次元プロトンＮＭＲ情報は、各ピークのプロトン数の情報を含む請求項４記載の知識ベース構築方法。
【請求項９】
知識ベース中における二次元プロトンＮＭＲ情報は、各ピークが、炭素原子に結合するプロトンに起因するタイプ、ヘテロ原子に結合するプロトンに起因するタイプの何れのタイプであるかを示すピークタイプを含む請求項４記載の知識ベース構築方法。
【請求項１０】
知識ベース中における二次元プロトンＮＭＲ情報は、各クロスピークが、ジェミナルプロトンに起因するタイプ、ヘテロ原子に結合するプロトンに起因するタイプ、それ以外のタイプの何れのタイプであるかを示すクロスピークタイプを含む請求項４記載の知識ベース構築方法。
【請求項１１】
知識ベース中における部分構造情報は、各原子が、結合プロトンのない重原子、結合プロトンがあり且つ部分構造どうしの重ね合わせ時に重ね合わせ可能な炭素原子、疑似原子、結合プロトンはあるが部分構造どうしの重ね合わせ時に重ね合わせ不可能な炭素原子、結合プロトンのあるヘテロ原子の何れのタイプであるかを示す原子タイプを含む請求項４記載の知識ベース構築方法。
【請求項１２】
前記ステップｃ−１においては、部分構造中の原子に付与した規範化原子番号を用いて、前記抽出された部分構造毎に、当該部分構造を構成する各原子とそれらの間の結合関係とを示す部分構造情報およびその部分構造情報の二次元プロトンＮＭＲ情報を含む修飾結合表を生成し、且つ、部分構造から抽出した予め定めた複数の特徴を各桁の数値に設定した部分構造ＩＤ番号を修飾結合表に含める請求項３記載の知識ベース構築方法。
【請求項１３】
前記ステップｃ−２において、前記生成された修飾結合表中の部分構造ＩＤ番号と同じ部分構造ＩＤ番号を持つ修飾結合表が知識ベースに登録されていないときは当該修飾結合表の部分構造情報と同じ部分構造情報を持つ修飾結合表が知識ベースに登録されていないと判断し、同じ部分構造ＩＤ番号を持つ修飾結合表が知識ベースに登録されているときは、双方の部分構造での同じ原子番号を持つ全ての原子が同じであるか否かを調べることによって、当該修飾結合表の部分構造情報と同じ部分構造情報を持つ修飾結合表が知識ベースに登録されているか否かを調べる請求項１２記載の知識ベース構築方法。
【手続補正３】
【補正対象書類名】明細書
【補正対象項目名】００２０
【補正方法】変更
【補正の内容】
【００２０】
【課題を解決するための手段】
本発明の知識ベース構築方法においては、有機化合物の構造のうち、プロトンの結合した炭素原子が１原子以上つらなる部分を基幹部分、基幹部分以外の部分を非基幹部分と呼ぶ。そして、基幹部分は部分構造上、一体で不可分な部分として捉え、１つの基幹部分を中心にそれに隣接する非基幹部分までを１つの部分構造とする。このような部分構造を、多数の有機化合物のそれぞれについてその有機化合物を構成する各原子とそれらの間の結合関係とを示す構造情報およびその有機化合物の１Ｈ−ＮＭＲスペクトル情報を記録した化合物ファイルを蓄積してある化合物データベースから自動的に抽出して知識ベースを構築する。


【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
本発明の知識ベース構築方法にあっては、化合物データベースに蓄積された個々の有機化合物について、その構造中の基幹部分毎に、その基幹部分とその隣接する非基幹部分までを１つの部分構造とし、二次元プロトンＮＭＲ情報に対応付けて知識ベースに登録できる。このため、有機化合物の構造推定に利用した際には、未知有機化合物から測定された二次元プロトンＮＭＲ情報におけるクロスピークのつながり全体と知識ベース中の各部分構造における二次元プロトンＮＭＲ情報との照合が可能となり、従来よりサイズの大きな部分構造を直ちに推定することができる。これにより、後の組み立て工程数を大幅に削減することができる。また、有機化合物のスペクトル予測に利用した際には、スペクトル予測対象の有機化合物の構造から抽出した基幹部分を含む部分構造と知識ベース中の各修飾結合表における部分構造との照合によって、複数のピークの化学シフト値およびクロスピーク情報を一括して予測することができる。


【手続補正９】
【補正対象書類名】明細書
【補正対象項目名】００３１
【補正方法】削除
【補正の内容】